(57)【要約】【課題】窓枠に対して垂直方向の軸周りに回動、もしくは滑り出し回動して開閉する障子と、窓の開閉を調整する調整器とを備えた建具について、窓から身を乗り出すことなく開閉できるようにするとともに、操作する手や指が障子と調整器との間に挟まれることを防止する。【解決手段】  開口部に配置される窓枠と、窓枠に対して垂直な回動軸を中心に回動して開閉する障子と、障子の開閉を調整するための調整器とを備え、調整器は、障子の下框の回動軸寄りに設けられた障子側支持部材と、窓枠の下枠に設けられた窓枠側支持部材との間に配置され、障子側支持部材の上方に突出して、障子の開閉時に操作者がつかむことができる把持部を備える。【選択図】図１
2017036633.tif 000002
【特許請求の範囲】
【請求項１】
開口部に配置される窓枠と、窓枠に対して垂直な回動軸を中心に回動して開閉する障子と、障子の開閉を調整するための調整器とを備え、
調整器は、障子の下框の回動軸寄りに設けられた障子側支持部材と、窓枠の下枠に設けられた窓枠側支持部材との間に配置され、
障子側支持部材の上方に突出して、障子の開閉時に操作者がつかむことができる把持部を備える
ことを特徴とする建具。
【発明の詳細な説明】
【技術分野】
【０００１】
建物開口部に設けられた枠体に対して、垂直方向の軸周りに回動、もしくは滑り出し回動して開閉することができる障子を備える建具に関する。
【背景技術】
【０００２】
従来、窓枠に対して垂直方向の軸周りに回動、もしくは滑り出し回動して開閉する障子を備えた建具は周知である。そのような建具において、障子を開閉する際に操作するハンドル等把手は障子を支持する回動軸から離れた縦框に設けられることが多く、障子を開放するに従って窓枠から遠く離れてしまい、障子の閉鎖に際して把手を操作するには窓から体を乗り出さなくてはならず、危険が伴う場合があった。
そこで、窓枠に対して垂直方向の軸周りに回動、もしくは滑り出し回動して開閉する障子を備えた建具において、障子の下框の比較的支持軸側で障子が開放した際に窓に近い位置に障子を操作するための把手を設けた建具が知られていた（特許文献１）。
【先行技術文献】
【特許文献】
【０００３】
【特許文献１】特開平９−１９５６３４号
【発明の概要】
【発明が解決しようとする課題】
【０００４】
上記先行技術文献の建具においては、窓の開閉時に窓から身を乗り出すことなく障子を操作することができ、有効であった。
しかし、窓枠に対して垂直方向の軸周りに回動、もしくは滑り出し回動して開閉する障子を備えた建具によっては、障子の下框と窓枠との間に、窓の開閉を調整する調整器を備える必要があり、障子の下框に把手を設けることが難しかった。仮に、把手を設けることができても、窓の開閉時に把手を操作する手や指が障子と調整器との間に挟まれて、思わぬ怪我をする可能性があった。
【０００５】
本発明は、上記の事情を鑑みたものであり、窓枠に対して垂直方向の軸周りに回動、もしくは滑り出し回動して開閉する障子と、窓の開閉を調整する調整器とを備えた建具について、窓から身を乗り出すことなく開閉できるようにするとともに、操作する手や指が障子と調整器との間に挟まれることを防止することができる建具を提供することを目的とする。
【課題を解決するための手段】
【０００６】
本発明は、開口部に配置される窓枠と、窓枠に対して垂直な回動軸を中心に回動して開閉する障子と、障子の開閉を調整するための調整器とを備え、調整器は、障子の下框の回動軸寄りに設けられた障子側支持部材と、窓枠の下枠に設けられた窓枠側支持部材との間に配置され、障子側支持部材の上方に突出して、障子の開閉時に操作者がつかむことができる把持部を備えることを特徴とする。
【発明の効果】
【０００７】
本発明の建具により、窓枠に対して垂直方向の軸周りに回動、もしくは滑り出し回動して開閉する障子の開閉を、窓から身を乗り出すことなく可能とするとともに、調整器と障子との間に手や指が挟まれて怪我をすることが防止できる。
【図面の簡単な説明】
【０００８】
【図１】本発明の実施形態に係る縦滑り出し窓の下方部位の内観図である。
【図２】本発明の実施形態に係る縦滑り出し窓の縦断面図である。
【図３】本発明の実施形態に係る縦滑り出し窓の横断面図である。
【図４】本発明の実施形態に係る縦滑り出し窓に配置されている調整器の図であり、（ａ）は調整器全体の平面図、（ｂ）は調整器全体の正面図、（ｃ）は調整器の障子側支持部材の正面図、（ｄ）は調整器の障子側支持部材の側面図である。
【図５】本発明の実施形態に係る縦滑り出し窓に配置されている他の実施形態の調整器の図であり、（ａ）は調整器全体の平面図、（ｂ）は調整器全体の正面図、（ｃ）は調整器の障子側支持部材の正面図、（ｄ）は調整器の障子側支持部材の側面図である。
【図６】本発明の実施形態に係る縦滑り出し窓に配置されているさらに他の実施形態の調整器の図であり、（ａ）は調整器全体の平面図、（ｂ）は調整器全体の正面図、（ｃ）は調整器の障子側支持部材の正面図、（ｄ）は調整器の障子側支持部材の側面図である。
【発明を実施するための形態】
【０００９】
（縦滑り出し窓の構成）
本発明に係る建具を、図面に示す縦滑り出し窓の実施形態を用いて、説明する。
本発明の建具に係る実施形態の縦滑り出し窓は、図１乃至３に示すように、上枠１１，下枠１２及び左右の縦枠１３，１４を四周に組んでなり建物開口部に固定してなる窓枠１と、上框２１，下框２２及び左右の縦框２３，２４を四周に組んで内周にガラス等パネルを装着してなる障子２とを備え、障子２の右端部に形成された垂直な回転軸及びフリクションステイ等の周知の開閉機構（図示しない。）により、縦滑り出し開閉自在に構成されている。
そして、障子２の反回転軸側の縦框(左縦框)２３に取り付けられた周知のラッチハンドル３を操作することによって障子２を開閉操作することができ、障子２の下框２２の回転軸寄りの部位と窓枠１の下枠１２のやや戸先側の部位との間には、窓枠１に対する障子２の開き角度を調整するための調整器５が配置されている。
【００１０】
図２に示すように、窓枠１を構成する上枠１１は、障子２の上框２１の上面（外周面）に対向する上枠本体部１１１と、上枠本体部１１１の室内側下面（内周面）より垂下する垂下壁１１２と、上枠本体部１１１の室内側に延設される上額部１１３とを有しており、同下枠１２は、障子２の下框２２の外周面に対向する下枠本体部１２１と、下枠本体部１２１の室内側に連続して上方に立上る矩形中空形状の立上壁１２２と、立上壁１２２の上端室内側より室内側に延設される下額部１２３とを有している。
図３に示すように、窓枠１を構成する左右の縦枠１３，１４は、障子２の左右の縦框２３，２４の外周面に対向する縦枠本体部１３１，１４１と、縦枠本体部１３１，１４１の室内側内周面より内周方向に延設される内周壁１３２，１４２と、縦枠本体部１３１，１４１の室内側に延設される左右の縦額部１３３、１４３とを有している。
【００１１】
一方、障子２を構成する上框２１は、中空形状の上框本体部２１１と、上框本体部２１１の室外側壁面が下方に延設されてなる室外側壁２１２と、上框本体部２１１の室内側の内周に取り付けられて室外側壁２１２とともにガラス間口を構成する上押縁部材２１３とを有しており、同下框２２は、中空形状の下框本体部２２１と、下框本体部２２１の室外側壁面が上方に延設されてなる室外側壁２２２と、下框本体部２２１の室内側壁面が上方に延設されて室外側壁２２２とともにガラス間口を構成する室内側壁２２３とを有している。
障子２を構成する左右の縦框２３，２４は、中空形状の左右の縦框本体部２３１，２４１と、縦框本体部２３１，２４１の室外側壁面が内周方向に延設されてなる室外側壁２３２、２４２と、縦框本体部２３１，２４１の室内側の内周に取り付けられて室外側壁２３２、２４２とともにガラス間口を構成する縦押縁部材２３３，２４３とを有している。
【００１２】
そして、窓枠１を構成する上枠１１の垂下壁１１２、同下枠１２の立上壁１２２、及び同左右の縦枠１３，１４の内周壁１３２，１４２の室外側面に対して、障子２の上框２１の上框本体部２１１，同下框２２の下框本体部２２１，同左右の縦框２３，２４の左右縦框本体部２３１，２４１の室内側面が室外側より接離することで、障子２を開閉するように構成されており、窓枠１の上記各室外側面に設けた気密材により、窓枠１と障子２との間の気密を行っている。
【００１３】
（調整器の構成）
本発明の実施形態に係る縦滑り出し窓の窓枠１と障子２との間には、障子２の開閉位置を設定する調整器５が設けられている。
調整器５は、例えば図４に示すように、調整器外郭部５１１に対して進退自在にスライドアーム５１２が設けられてなる調整器本体部５１と、調整器本体部５１の一方側（枠側）を窓枠１に対して回動自在に支持する窓枠側支持部材５２と、調整器本体部５１の他方側（障子側）を障子２に対して回動自在に支持する障子側支持部材５３とから構成されている。
【００１４】
窓枠側支持部材５２は、水平面を有する脚部５２１，５２１と、脚部５２１，５２１間に設けられて上方に立ち上がる窓枠側取付部５２２と、窓枠側取付部５２２の上面に配置される支持軸５２ａとから構成されており、脚部５２１，５２１が下枠１２の立上壁１２２の上面に固定されることで、窓枠１に固定されている。
障子側支持部材５３は、垂直面を有する取付壁５３１と、取付壁５３１の上端が室内側に屈曲されて延設される障子側取付部５３２と、障子側取付部５３２の上面に配置される支持軸５３ａとから構成されており、取付壁５３１が障子２を構成する下框２２の室内側面に固定されることで、障子２に固定されている。
【００１５】
調整器本体部５１は、一方側（左端）が窓枠側支持部材５２の支持軸５２ａに回動自在に支持される調整器外郭部５１１と、調整器外郭部５１１に対して進退自在に設けられるとともに、他方側（右端）が障子側支持部材５３の支持軸５３ａに回動自在に支持されるスライドアーム５１２と、調整器外郭部５１１に対するスライドアーム５１２の進退位置を決定するための操作手段５１３とから構成されており、窓枠側支持部材５２の支持軸５２ａと障子側支持部材５３の支持軸５３ａに対して調整器本体部５１の両端が回動自在に取り付けられている。
そして、操作者が障子２に取り付けられたラッチハンドル３を操作して障子２を開放するに際して、操作手段５１３を操作して調整器外郭部５１１に対するスライドアーム５１２の進退位置を決定することにより、窓枠側支持部材５２と障子側支持部材５３との間の距離が決定されて、窓枠１に対する障子２の開閉位置が決定される。
【００１６】
（把持部の構成）
本発明の実施形態の縦滑り出し窓においては、開放した障子２を引き寄せる際につかむことができる把持部５５が、窓枠１に対する障子２の開閉位置を決定等するための調整器５に設けられている。
以下、図４乃至６を参考にして、把持部５５を備えた調整器５について説明する。
【００１７】
図４に示す調整器５は、障子側支持部材５３の障子側取付部５３２の上面に把持部５５が形成されている。
障子側支持部材５３は、図４（ｃ），（ｄ）に示すように、その全体が硬質樹脂製のカバー部材５４により覆われて、カバー部材５４の表面からネジ等の固着手段により障子２の下框２２の室内側面に固着するように形成されており、カバー部材５４における障子側取付部５３２の上面には、左右方向に延びる把持部５５がカバー部材５４と一体的に上方に立設されている。
そして、把持部５５は、障子２の開閉に際してスライドアーム５１２の回動の障害とならないように、障子側支持部材５３のスライドアーム５１２や支持軸５３ａよりも室外側に配置されており、そして、室内から容易につかむことができるように、障子側支持部材５３の上方に突出して、調整器５のスライドアーム５１２や支持軸５３ａよりも上方位置に至るように形成されている。  
【００１８】
図５に示す調整器５は、障子側支持部材５３の支持軸５３ａの上方に円筒形状をなす把持部５５が形成されている。
障子側支持部材５３は、図５（ｃ），（ｄ）に示すように、その支持軸５３ａがスライドアーム５１２の上方に延設されており、把持部５５は、室内から容易につかむことができるように、障子側支持部材５３の上方に突出して、スライドアーム５１２や支持軸５３ａよりも上方位置に至るように形成されている。
把持部５５は円筒形状に形成されているので、さらには、支持軸５３ａの上方部位に回転自在に取り付けられているので、障子２の開放状態がどのような角度であっても、把持部５５をつかむ状態が同じであり、また、障子２の回動に対して把持部５５の状態が影響されることもないので、操作者がつかみやすく、障子２を良好に引き寄せることができる。
【００１９】
図６に示す調整器５は、障子側支持部材５３の障子側取付部５３２の上面に把持部５５が形成されている。
障子側支持部材５３の障子側取付部５３２は、平面視で矩形に三角形が連続したホームベース形状をしており、図６に示すように、カバー部材５４における障子側取付部５３２の上面には、その右端側縁から連続して右側室内側縁に沿うように斜めに延びる把持部５５がカバー部材５４と一体的に上方に立設されている。
そして、把持部５５は、障子２の開閉に際してスライドアーム５１２の回動の障害とならないように、その右側室内側縁に沿うように斜めに延びる部分の下方部位には切欠き５５ａが形成されており、そして、室内から容易につかむことができるように、障子側支持部材５３の上方に突出して、調整器５のスライドアーム５１２や支持軸５３ａよりも上方位置に至るように形成されている。
このように、把持部５５が右側端部から右側室内側端に沿うように斜めに立設されているので、障子２の開放状態において、右側室内側縁に沿うように斜めに延びる部位が窓に対してほぼ水平な状態となり、操作者がつかみやすく、障子２を簡単に引き寄せることができる。
【００２０】
以上のように、本実施形態の縦滑り出し窓は、調整器の障子側支持部材に把持部が形成されているので、操作者がラッチハンドルをつかんで障子を開放した後に把持部をつかんで障子をさらに大きく開放したり、また、大きく開放された障子を操作者によりラッチハンドルを容易につかめる位置まで引き寄せたりすることができる。そして、把持部は、専用の取付部を必要とせずに、障子の比較的窓から近い部分に設けられるので、操作者は窓から身を乗り出すことなく把持部をつかむことができ、さらに、把持部は、障子側支持部材の上方に突出して、調整器のスライドアームや支持軸等の駆動機構よりも上方位置に至るように形成されているので、室内から容易につかむことができ、また、障子の開放操作、及び引き寄せ操作において、障子と調整器との間に指等を挟むことが防止され、安全に操作することができる。
なお、本発明は、縦滑り出し窓だけでなく、垂直方向の軸周りに回動する窓であればどのようなタイプの窓に対しても採用することができ、また、把持部の構成も上記実施形態に限定されるものではない。
【符号の説明】
【００２１】
１      ：窓枠
１１    ：上枠
１１１  ：上枠本体部
１１２  ：垂下壁
１１３  ：上額部
１２    ：下枠
１２１  ：下枠本体部
１２２  ：立上壁
１２３  ：下額部
１３    ：左縦枠
１３１  ：縦枠本体部
１３２  ：内周壁
１３３  ：縦額部
１４    ：右縦枠
１４１  ：縦枠本体部
１４２  ：内周壁
１４３  ：縦額部
２      ：障子
２１    ：上框
２１１  ：上框本体部
２１２  ：室外側壁
２１３  ：上押縁部材
２２    ：下框
２２１  ：下框本体部
２２２  ：室外側壁
２２３  ：室内側壁
２３    ：左縦框
２３１  ：左縦框本体部
２３２  ：室外側壁
２３３  ：縦押縁部材
２４    ：右縦框
２４１  ：右縦框本体部
２４２  ：室外側壁
２４３  ：縦押縁部材
３      ：ラッチハンドル
５      ：調整器
５１    ：調整器本体部
５１１  ：調整器外郭部
５１２  ：スライドアーム
５１３  ：操作手段
５２    ：窓枠側支持部材
５２ａ  ：支持軸
５２１  ：脚部
５２２  ：窓枠側取付部
５３    ：障子側支持部材
５３ａ  ：支持軸
５３１  ：取付壁
５３２  ：障子側取付部
５４    ：カバー部材
５５    ：把持部
５５ａ  ：切欠き
【図１】
2017036633.tif 000003
【図２】
2017036633.tif 000004
【図３】
2017036633.tif 000005
【図４】
2017036633.tif 000006
【図５】
2017036633.tif 000007
【図６】
2017036633.tif 000008